(57)【要約】【課題】複数ページを遷移して１つの操作を完成させるようなウェブページの操作支援が可能で、かつ、以前とは別の操作を行う場合にも対応できる仲介装置を提供する。【解決手段】通信端末２からのウェブページ送信要求をサーバ３に転送するページ要求転送部１１と、サーバ３が送信したウェブページを受信するページ受信部１４と、ウェブページの識別情報と、時刻と、通信端末の識別情報とを蓄積したページ要求履歴を記憶するページ要求履歴記憶部１２と、そのページ要求履歴に基づいて、受信したウェブページとページ要求履歴に記録されている他のウェブページとの遷移順序情報を生成する演算部１５と、遷移順序情報を送信するページ送信部１６とを有する仲介装置１を、通信端末２とサーバ３との間に設置する。【選択図】図２
2011198154.tif 000002
【特許請求の範囲】
【請求項１】
ウェブページを提供するサーバと、前記サーバにウェブページの送信を要求し、送信されたウェブページを受信して表示する通信端末との間で情報の交換を仲介する仲介装置であって、
前記通信端末からのウェブページ送信要求を、前記通信端末から受信して要求先のサーバに転送するページ要求転送手段と、
前記ページ要求転送手段が転送した前記ウェブページ送信要求に応答して、要求先のサーバが送信してきたウェブページを受信するページ受信手段と、
前記通信端末のウェブページ送信要求の履歴であって、送信を要求したウェブページの識別情報と、時刻と、要求元の通信端末の識別情報とを蓄積したページ要求履歴を記憶するページ要求履歴記憶手段と、
前記ページ要求履歴に基づいて、過去、前記通信端末が複数のウェブページを遷移したときの、それらウェブページの遷移順序を示す遷移順序情報を生成する遷移順序情報生成手段と、
前記遷移順序情報生成手段が生成した前記遷移順序情報を要求元の通信端末に送信する遷移順序情報送信手段と
を有することを特徴とする仲介装置。
【請求項２】
ウェブページを提供するサーバと、前記サーバにウェブページの送信を要求し、送信されたウェブページを受信して表示する通信端末との間で情報の交換を仲介する仲介装置であって、
前記通信端末からのウェブページ送信要求を、前記通信端末から受信して要求先のサーバに転送するページ要求転送手段と、
前記ページ要求転送手段が転送した前記ウェブページ送信要求に応答して、要求先のサーバが送信してきたウェブページを受信するページ受信手段と、
前記サーバに蓄積されている前記通信端末のウェブページ送信要求の履歴であって、送信を要求したウェブページの識別情報と、時刻と、要求元の通信端末の識別情報とを蓄積したアクセスログを、前記サーバから取得するアクセスログ取得手段と、
前記アクセスログに基づいて、過去、前記通信端末が複数のウェブページを遷移したときの、それらウェブページの遷移順序を示す遷移順序情報を生成する遷移順序情報生成手段と、
前記遷移順序情報生成手段が生成した前記遷移順序情報を要求元の通信端末に送信する遷移順序情報送信手段と
を有することを特徴とする仲介装置。
【請求項３】
前記仲介装置は、前記遷移順序情報を表示する新たなウェブページを生成するウェブページ生成手段をさらに有し、
前記遷移順序情報送信手段は、前記ウェブページ生成手段が生成した新たなウェブページを要求元の通信端末に送信すること
を特徴とする請求項１または請求項２に記載の仲介装置。
【請求項４】
前記ウェブページ生成手段は、フレーム分割した前記新たなウェブページの少なくとも１つのフレームに前記遷移順序情報を表示し、他のフレームに前記受信手段が受信したウェブページを表示すること
を特徴とする請求項３に記載の仲介装置。
【請求項５】
前記ウェブページ生成手段は、受信したウェブページの中に含まれるリンクのテキスト部分に、前記リンクと前記遷移順序情報とを関連付けるための情報を追加すること
を特徴とする請求項４に記載の仲介装置。
【請求項６】
前記仲介装置は、前記遷移順序情報に、受信したウェブページの遷移元を示す遷移元情報を追加する遷移元情報追加手段
をさらに有することを特徴とする請求項１乃至請求項５のいずれか１項に記載の仲介装置。
【発明の詳細な説明】
【技術分野】
【０００１】
本発明は、サーバと通信端末との間で情報の交換を仲介する仲介装置に関する。
【背景技術】
【０００２】
インターネットはいまや人々の生活になくてはならないツールである。ネットショッピングやインターネットバンキング等、インターネットにはさまざまなサービスが用意されている。人々はウェブページを通じてその恩恵にあずかっている。
【０００３】
多くの場合、ウェブページの操作は容易である。しかし、ウェブページの中には操作が容易でないものもある。入力項目や選択項目が多く、複雑な手順とならざるを得ないようなウェブページである。こうしたウェブページでは、操作の途中でサービスの利用をあきらめることも少なくない。
【０００４】
こうした状況を改善するため、ウェブページの操作を支援する方法が考えられている。例えば、特許文献１には、通信端末（例えば、パーソナルコンピュータ）の操作情報を使用して操作を支援する方法が開示されている。この方法では、通信端末の過去および現在の操作情報、並びに、操作者のスキルレベル情報等をもとに、次に表示するページの内容を適宜変更することで操作を支援している。
【０００５】
また、特許文献２には、マクロを使用して操作を支援する方法が開示されている。ここで、マクロとは特定の操作手順を自動化する機能のことである。この方法では、ウェブページの過去の操作情報等をもとにマクロを生成し、ウェブページの内容に適したマクロを適宜実行することで操作を支援している。
【先行技術文献】
【特許文献】
【０００６】
【特許文献１】特開２００６−２７７２９０号公報
【特許文献２】特開２００６−１２７１１７号公報
【発明の概要】
【発明が解決しようとする課題】
【０００７】
ウェブページの操作をする場合、通常、１ページ内で全操作が完結する（以下、このようなウェブページを単独操作ページという）。しかし、近年では、複数ページを遷移して１つの操作を完成させるようなウェブページ（以下、操作ページ群という）も見られるようになってきた（例えば、「振込先を指定」「振り込み金額を指定」等の複数ページを操作して振り込みを実行するインターネットバンキング）。
【０００８】
しかしながら、特許文献１の方法では、単独操作ページの操作支援は可能であるが、操作ページ群の操作支援はできない。一方、特許文献２の方法は、複数ページの操作を１つの手順にまとめることもできるため、操作ページ群の操作支援も可能である。しかしながら、この方法では、複数ページの操作が１つの操作に固定されてしまうために、同じページを使って以前とは別の操作がしたくなった場合に対応できない。
【０００９】
本発明はこれらの問題を鑑みてなされたものである。その目的とするところは、操作ページ群の操作支援が可能で、かつ、以前とは別の操作を行う場合にも対応できる仲介装置を提供することにある。
【課題を解決するための手段】
【００１０】
上記目的を達成するため、本発明の第１の観点に係る仲介装置は、ウェブページを提供するサーバと、前記サーバにウェブページの送信を要求し、送信されたウェブページを受信して表示する通信端末との間で情報の交換を仲介する仲介装置であって、前記通信端末からのウェブページ送信要求を、前記通信端末から受信して要求先のサーバに転送するページ要求転送手段と、前記ページ要求転送手段が転送した前記ウェブページ送信要求に応答して、要求先のサーバが送信してきたウェブページを受信するページ受信手段と、前記通信端末のウェブページ送信要求の履歴であって、送信を要求したウェブページの識別情報と、時刻と、要求元の通信端末の識別情報とを蓄積したページ要求履歴を記憶するページ要求履歴記憶手段と、前記ページ要求履歴に基づいて、過去、前記通信端末が複数のウェブページを遷移したときの、それらウェブページの遷移順序を示す遷移順序情報を生成する遷移順序情報生成手段と、前記遷移順序情報生成手段が生成した前記遷移順序情報を要求元の通信端末に送信する遷移順序情報送信手段とを有することを特徴とする。
【００１１】
上記目的を達成するため、本発明の第２の観点に係る仲介装置は、ウェブページを提供するサーバと、前記サーバにウェブページの送信を要求し、送信されたウェブページを受信して表示する通信端末との間で情報の交換を仲介する仲介装置であって、前記通信端末からのウェブページ送信要求を、前記通信端末から受信して要求先のサーバに転送するページ要求転送手段と、前記ページ要求転送手段が転送した前記ウェブページ送信要求に応答して、要求先のサーバが送信してきたウェブページを受信するページ受信手段と、前記サーバに蓄積されている前記通信端末のウェブページ送信要求の履歴であって、送信を要求したウェブページの識別情報と、時刻と、要求元の通信端末の識別情報とを蓄積したアクセスログを、前記サーバから取得するアクセスログ取得手段と、前記アクセスログに基づいて、過去、前記通信端末が複数のウェブページを遷移したときの、それらウェブページの遷移順序を示す遷移順序情報を生成する遷移順序情報生成手段と、前記遷移順序情報生成手段が生成した前記遷移順序情報を要求元の通信端末に送信する遷移順序情報送信手段とを有することを特徴とする。
【発明の効果】
【００１２】
本発明によれば、操作ページ群の操作支援が可能で、かつ、以前とは別の操作を行う場合にも対応できる仲介装置を提供することができる。
【図面の簡単な説明】
【００１３】
【図１】本発明を実施するための形態にかかる仲介装置の概略配置図である。
【図２】発明を実施するための形態に係る仲介装置のブロック図である。
【図３】ページ要求履歴の例を示した図である。
【図４】ページ要求転送処理のフローチャートである。
【図５】ページ加工送信処理のフローチャートである。
【図６】遷移順序情報を示した図である。
【図７】遷移順序情報をウェブページに表示可能に加工した図である。
【図８】遷移順序情報をウェブページの上部に追加した図である。
【図９】サーバからアクセスログを取得する機能を有する仲介装置のブロック図である。
【図１０】ウェブページに含まれるリンク先を示す文字に情報を追加した図である。
【図１１】遷移順序情報の一部を省略した図である。
【図１２】ウェブページの下部にページ番号の表示を追加した様子を示した図である。
【発明を実施するための形態】
【００１４】
（実施の形態）
本発明を実施するための形態にかかる仲介装置１は、例えば図１に示すように、複数の通信端末２とサーバ３との間の通信経路上に設置される。通信端末２は、例えば自宅やオフィスなどに設置されるパーソナルコンピュータ等である。この通信端末２は、ネットワークを介し、サーバ３にウェブページの送信を要求する。サーバ３はその要求に応答して、要求元の通信端末２にウェブページを送信する。仲介装置１は通信端末２とサーバ３との間でこれらデータのやりとりを仲介する。以下、仲介装置１について、図面を参照しながら説明する。
【００１５】
まず、図２を用いて仲介装置１の構成について説明する。
【００１６】
図２に示すように仲介装置１は、ページ要求転送部１１と、ページ要求履歴記憶部１２と、タイマ１３と、ページ受信部１４と、演算部１５と、ページ送信部１６から構成される。なお、本説明の理解を容易にするため、図２では通信端末２を１台のみ示し、他の通信端末２の図示は省略する。
【００１７】
ページ要求転送部１１は、通信端末２からサーバ３に対して送信されるウェブページ送信要求を、通信端末２とサーバ３の通信経路の途中で受信し、サーバ３に転送する。転送する際、ページ要求転送部１１はウェブページ送信要求の中から要求したウェブページのＵＲＬと、要求元の通信端末２のＩＰアドレスを抜き出す。ページ要求転送部１１は抜き出したＵＲＬとＩＰアドレスをページ要求履歴記憶部１２に送信する。
【００１８】
ページ要求履歴記憶部１２は、ページ要求転送部１１から受信したＵＲＬ、ＩＰアドレスを、タイマ１３から取得した「現在の時刻」と対応付けて蓄積する（以下、蓄積された情報をページ要求履歴と呼ぶ）。図３にページ要求履歴の例を示す。
また、ページ要求履歴記憶部１２は、演算部１５からの要求に応じて、蓄積したページ要求履歴を演算部１５に送信する。
【００１９】
タイマ１３は、ページ要求履歴記憶部１２に現在の時刻を送信する。
【００２０】
ページ受信部１４は、サーバ３からウェブページを受信する。このウェブページはページ要求転送部１１が転送したウェブページ送信要求に応答して、サーバ３が送ってきたものである。ページ受信部１４は受信したウェブページを演算部１５に送信する。
【００２１】
演算部１５は、ページ受信部１４からウェブページを受信する。そして、演算部１５はページ要求履歴記憶部１２に記憶してあるページ要求履歴に基づいて、遷移順序情報を生成する。ここで、「遷移順序情報」とは、過去、通信端末２が複数のウェブページを遷移したときの、それらウェブページの遷移順序を示した情報である。遷移順序情報の生成については、「２−２  ページ加工送信処理」で詳しく述べる。演算部１５は生成した遷移順序情報をウェブページに表示可能に加工し、受信したウェブページに追加する。そして、そのウェブページをページ送信部１６に送信する。
【００２２】
ページ送信部１６は、演算部１５から受信したウェブページを通信端末２に送信する。
【００２３】
次に、仲介装置１の動作について説明する。
【００２４】
ページ要求転送部１１が通信端末２からウェブページ送信要求を受信したら、仲介装置１は「ページ要求転送処理」を開始する。また、ページ受信部１４がサーバ３からウェブページを受信したら、仲介装置１は「ページ加工送信処理」を開始する。まず、図４のフローチャートを参照して「ページ要求転送処理」について説明する。
【００２５】
ページ要求転送部１１は、通信端末２からウェブページ送信要求を受信して、その中から、ウェブページのＵＲＬと、ウェブページを要求した通信端末２のＩＰアドレスを抜き出す（ステップＳ０１）。
【００２６】
ページ要求転送部１１は、抜き出したＵＲＬとＩＰアドレスをページ要求履歴記憶部１２に送信する。ページ要求履歴記憶部１２は、ページ要求転送部１１から受信したＩＰアドレスと、ＵＲＬと、タイマ１３から取得した現在の時刻とを関連付けて蓄積する（ステップＳ０２）。
【００２７】
ページ要求転送部１１は、ウェブページ送信要求をサーバ３に転送する（ステップＳ０２）。転送が終わったら処理を終了する。
【００２８】
次に、図５のフローチャートを参照して、ページ加工送信処理について説明する。
【００２９】
ページ受信部１４は、ページ要求転送部１１が転送したウェブページ送信要求に応答して、サーバ３が送信してきたウェブページを受信する。そして、ページ受信部１４は受信したウェブページを演算部１５に送信する（ステップＳ１１）。
【００３０】
演算部１５はウェブページを受信したら、ページ要求履歴記憶部１２にページ要求履歴の送信を要求する。ページ要求履歴記憶部１２は、演算部１５の要求に応じて、ページ要求履歴を送信する。演算部１５はページ要求履歴記憶部１２からページ要求履歴を受信する（ステップＳ１２）。
【００３１】
演算部１５は通信端末２のＩＰアドレスでページ要求履歴をグルーピングする（ステップＳ１３）。例えば、図３に示すページ要求履歴を、以下のように、同じＩＰアドレスでグルーピングする、
［１９２．１６８．１．１］＝（ＵＲＬａ，ＵＲＬｂ，ＵＲＬｃ，ＵＲＬｄ，ＵＲＬｅ）
［１９２．１６８．１．２］＝（ＵＲＬｆ，ＵＲＬｂ，ＵＲＬｄ，ＵＲＬｇ，ＵＲＬｈ）
［１９２．１６８．１．３］＝（ＵＲＬｂ，ＵＲＬｄ，ＵＲＬｈ，ＵＲＬｇ）
ここで、ＵＲＬａ〜ＵＲＬｈは、それぞれ図３に記載されている「ｈｔｔｐ：／／ｅｘａｍｐｌｅ．ｃｏｍ／Ａ」〜「ｈｔｔｐ：／／ｅｘａｍｐｌｅ．ｃｏｍ／ｈ」のことである。
【００３２】
演算部１５は、グルーピングした情報内で、操作間隔が１０分以上離れているページ要求履歴を、別の操作と見なして分離する（ステップＳ１４）。例えば、先ほどのグルーピングした［１９２．１６８．１．１］の５つのＵＲＬであれば、図３に示すように、ＵＲＬｄとＵＲＬｅの間が１０分以上離れているので、ＵＲＬｅ以降は別の操作と見なして分離する。同様に、［１９２．１６８．１．２］の５つのＵＲＬであれば、ＵＲＬｄとＵＲＬｇの間が１０分以上離れているので、ＵＲＬｇ以降は別の操作と見なして分離する。さらに［１９２．１６８．１．３］の４つのＵＲＬであれば、ＵＲＬｈとＵＲＬｇの間が１０分以上離れているので、ＵＲＬｇ以降は別の操作と見なして分離する。これらをまとめると以下のようになる。
［１９２．１６８．１．１］［１］＝（ＵＲＬａ，ＵＲＬｂ，ＵＲＬｃ，ＵＲＬｄ）
［１９２．１６８．１．１］［２］＝（ＵＲＬｅ）
［１９２．１６８．１．２］［１］＝（ＵＲＬｆ，ＵＲＬｂ，ＵＲＬｄ）
［１９２．１６８．１．２］［２］＝（ＵＲＬｇ，ＵＲＬｈ）
［１９２．１６８．１．３］［１］＝（ＵＲＬｂ，ＵＲＬｄ，ＵＲＬｈ）
［１９２．１６８．１．３］［２］＝（ＵＲＬｇ）
【００３３】
演算部１５は、分離した情報の中から、受信したウェブページのＵＲＬを含むものを探す。そして、それらの履歴を繋ぎ合わせて、遷移順序情報を生成する（ステップＳ１５）。
【００３４】
例えば、上記の例で、受信したウェブページのＵＲＬがＵＲＬｂであれば、分離した情報の中からＵＲＬｂを含む以下の３つを選択する。
［１９２．１６８．１．１］［１］＝（ＵＲＬａ，ＵＲＬｂ，ＵＲＬｃ，ＵＲＬｄ）
［１９２．１６８．１．２］［１］＝（ＵＲＬｆ，ＵＲＬｂ，ＵＲＬｄ）
［１９２．１６８．１．３］［１］＝（ＵＲＬｂ，ＵＲＬｄ，ＵＲＬｈ）
そして演算部１５はこの３つを繋ぎ合わせ、図６に示すような遷移順序情報を生成する。図６は、過去、通信端末２が複数のウェブページを遷移したときの遷移順序を、矢印で示したものである。
【００３５】
演算部１５は生成した遷移順序情報をウェブページに表示可能に加工し、受信したウェブページに追加する（ステップＳ１６）。
【００３６】
例えば、演算部１５は、遷移順序情報を図７に示すような画像データに加工する。そして、演算部１５は、上下２つにフレーム分割した新たなウェブページを作成し、図８に示すように、その上側のフレームに上記で生成した画像データを、下側のフレームにページ受信部１４から受信したウェブページを表示する。
【００３７】
ここで、演算部１５は、受信したウェブページに含まれるリンクのテキスト部分に、新たな情報を追加してもよい。例えば、図９に示すように、ＵＲＬの一致するリンクのテキスト部分に、「（ＵＲＬｃ）」や「（ＵＲＬｄ）」といった文字情報を追加して、これらリンクと遷移順序情報を関連付ける。
【００３８】
演算部１５は遷移順序情報を追加したウェブページをページ送信部１６に送信する（ステップＳ１７）。
【００３９】
ページ送信部１６は、遷移順序情報を追加したウェブページを受信して、通信端末２に送信する（ステップＳ１８）。送信が完了したら処理を終了する。
【００４０】
以下、本実施の形態の効果について述べる。
【００４１】
本実施の形態によれば、もともとのページは操作方法が変更されることなく、例えばフレーム分割等されて表示されているので、以前とは別の操作を行う場合にも対応することができる。
【００４２】
また、本実施の形態によれば、複数ページにわたって操作をする必要がある操作ページ群の操作も、遷移順序情報を見ることで今後の流れが分かりやすくなるため、操作に戸惑うことが少なくなる。
【００４３】
また、遷移順序情報はウェブページに付加されて表示されるため、通信端末２に特別にソフトウェアを導入しなくてもウェブページの操作支援が可能になる。
【００４４】
また、サーバ３に新たにソフトウェアやハードウェアを導入しなくても、仲介装置１を設置するだけでウェブページの操作支援が可能になる。
【００４５】
（その他の実施形態）
以下、その他の実施形態について述べる。
【００４６】
ページ加工送信処理では、ページ要求履歴を基に遷移順序情報を生成したが、サーバ３にすでに蓄積されているアクセスログ（ウェブページを要求した通信端末２のＩＰアドレス・ＵＲＬ・時刻等を蓄積したもの）を基に遷移順序情報を生成もよい。
【００４７】
例えば、図９に示すように、サーバ３がアクセスログ記憶部１７にアクセスログを記憶しているとする。なお、理解を容易にするため、アクセスログは図３に示すページ要求履歴と同様の内容であるとする。
【００４８】
ここで、仲介装置１には、図９に示すようにアクセスログ取得部１８を設ける。このアクセスログ取得部１８は、演算部１５の命令に応じて、アクセスログ記憶部１７からアクセスログを取得するためのものである。仲介装置１は、ページ要求履歴記憶部１２からページ要求履歴を取得する代わりに、アクセスログ取得部１８からアクセスログを取得してページ加工送信処理を実行する。
【００４９】
これにより、ページ要求履歴記憶部１２に新たにページ要求履歴を蓄積しなくても、仲介装置１設置後、即座に遷移順序情報の提供が可能になる。
【００５０】
本実施の形態では、通信端末２とサーバ３の間に独立した装置（仲介装置１）を設けたが、この仲介装置１はサーバ３に機能を追加する形で実現してもよい。
【００５１】
遷移順序情報には、現在表示しているウェブページに、どのウェブページから遷移してきたかを示す遷移元情報を追加してもよい。この遷移元情報の追加は、遷移順序情報の一部を省略することで実現してもよい。例えば、図１０に示すウェブページにおいて、現在表示しているＵＲＬｂのウェブページにＵＲＬａのウェブページから遷移してきたのであれば、図１１に示すように、ＵＲＬｆの表示を省略することで、遷移元情報（ＵＲＬａから遷移してきたこと）を示してもよい。
【００５２】
この遷移元情報は、ページ送信履歴やアクセスログから生成してもよい。例えば、演算部１５で、ページ要求履歴やアクセスログの中から要求元の通信端末２のＩＰアドレスを含むものを抽出し、その抽出した情報の中から直近の履歴を遷移元情報として取得してもよい。なお、遷移元情報は「ＵＲＬｃ→ＵＲＬｂ→ＵＲＬａ」（ＵＲＬｃからＵＲＬｂ、ＵＲＬａを経て現在のページに遷移）のように複数のＵＲＬから構成されていてもよいし、単に「ＵＲＬａ」（ＲＬａから現在のページに遷移）だけでもよい。
【００５３】
ページ加工送信処理では、遷移順序情報を、図１０に示すように、ウェブページに表示可能に加工して追加したが、遷移先が１つしかないページが連なっている場合には、図１２のページ下の表示（「２ページ」）のように、ページ数を直接ウェブページに追加してもよい。
【００５４】
上記の実施形態の一部または全部は、以下の付記のようにも記載されうるが、以下には限られない。
【００５５】
（付記１）ウェブページを提供するサーバと、前記サーバにウェブページの送信を要求し、送信されたウェブページを受信して表示する通信端末との間で情報の交換を仲介する仲介装置であって、前記通信端末からのウェブページ送信要求を、前記通信端末から受信して要求先のサーバに転送するページ要求転送手段と、前記ページ要求転送手段が転送した前記ウェブページ送信要求に応答して、要求先のサーバが送信してきたウェブページを受信するページ受信手段と、前記通信端末のウェブページ送信要求の履歴であって、送信を要求したウェブページの識別情報と、時刻と、要求元の通信端末の識別情報とを蓄積したページ要求履歴を記憶するページ要求履歴記憶手段と、前記ページ要求履歴に基づいて、過去、前記通信端末が複数のウェブページを遷移したときの、それらウェブページの遷移順序を示す遷移順序情報を生成する遷移順序情報生成手段と、前記遷移順序情報生成手段が生成した前記遷移順序情報を要求元の通信端末に送信する遷移順序情報送信手段とを有することを特徴とする仲介装置。
【００５６】
（付記２）ウェブページを提供するサーバと、前記サーバにウェブページの送信を要求し、送信されたウェブページを受信して表示する通信端末との間で情報の交換を仲介する仲介装置であって、前記通信端末からのウェブページ送信要求を、前記通信端末から受信して要求先のサーバに転送するページ要求転送手段と、前記ページ要求転送手段が転送した前記ウェブページ送信要求に応答して、要求先のサーバが送信してきたウェブページを受信するページ受信手段と、前記サーバに蓄積されている前記通信端末のウェブページ送信要求の履歴であって、送信を要求したウェブページの識別情報と、時刻と、要求元の通信端末の識別情報とを蓄積したアクセスログを、前記サーバから取得するアクセスログ取得手段と、前記アクセスログに基づいて、過去、前記通信端末が複数のウェブページを遷移したときの、それらウェブページの遷移順序を示す遷移順序情報を生成する遷移順序情報生成手段と、前記遷移順序情報生成手段が生成した前記遷移順序情報を要求元の通信端末に送信する遷移順序情報送信手段とを有することを特徴とする仲介装置。
【００５７】
（付記３）前記仲介装置は、前記遷移順序情報を表示する新たなウェブページを生成するウェブページ生成手段をさらに有し、前記遷移順序情報送信手段は、前記ウェブページ生成手段が生成した新たなウェブページを要求元の通信端末に送信することを特徴とする付記１または付記２に記載の仲介装置。
【００５８】
（付記４）前記ウェブページ生成手段は、フレーム分割した前記新たなウェブページの少なくとも１つのフレームに前記遷移順序情報を表示し、他のフレームに前記受信手段が受信したウェブページを表示することを特徴とする付記３に記載の仲介装置。
【００５９】
（付記５）前記ウェブページ生成手段は、受信したウェブページの中に含まれるリンクのテキスト部分に、前記リンクと前記遷移順序情報とを関連付けるための情報を追加することを特徴とする付記４に記載の仲介装置。
【００６０】
（付記６）前記仲介装置は、前記遷移順序情報に、受信したウェブページの遷移元を示す遷移元情報を追加する遷移元情報追加手段をさらに有することを特徴とする付記１乃至付記５のいずれかに記載の仲介装置。
【符号の説明】
【００６１】
１    仲介装置
２    通信端末
３    サーバ
１１  ページ要求転送部
１２  ページ要求履歴記憶部
１３  タイマ
１４  ページ受信部
１５  演算部
１６  ページ送信部
１７  アクセスログ記憶部
１８  アクセスログ取得部
【図１】
2011198154.tif 000003
【図２】
2011198154.tif 000004
【図３】
2011198154.tif 000005
【図４】
2011198154.tif 000006
【図５】
2011198154.tif 000007
【図６】
2011198154.tif 000008
【図７】
2011198154.tif 000009
【図８】
2011198154.tif 000010
【図９】
2011198154.tif 000011
【図１０】
2011198154.tif 000012
【図１１】
2011198154.tif 000013
【図１２】
2011198154.tif 000014